(57)【要約】【課題】粘着ロールの交換作業を簡易に行うことができるとともに、保持部の紛失を防止することができる粘着ローラーの保持具を提供する。【解決手段】粘着テープ１２を巻装した粘着ロール１１の中空筒部１３内に保持部４０，４０を挿入して粘着ロール１１を回転保持させ粘着テープ１２に毛髪やごみ等を付着除去する粘着ローラーの保持具１０であって、把手部２０と、把手部２０と一体に形成された金属製線材よりなり、ロール１１の中空筒部１３両端の開口部１４に対して弾性的に拡開可能な左右の腕部３０，３０と、左右の各腕部３０，３０先端の金属線材を折り曲げて中空筒部１３の開口部１４，１４内へ挿入されて中空筒部１１を両側から遊嵌保持可能な円形保持部４０，４０とを備えたことを特徴とする。【選択図】図３
0003171809.tif 000002
【実用新案登録請求の範囲】
【請求項１】
粘着テープを巻装した粘着ロールの中空筒部内に保持部を挿入して前記粘着ロールを回転保持させ前記粘着テープに毛髪やごみ等を付着除去する粘着ローラーの保持具であって、
把手部と、
前記把手部と一体に形成された金属製線材よりなり、前記ロールの中空筒部両端の開口部に対して弾性的に拡開可能な左右の腕部と、
前記左右の各腕部先端の前記金属線材を折り曲げて前記中空筒部の開口部内へ挿入されて前記中空筒部を両側から遊嵌保持可能な円形保持部
とを備えたことを特徴とする粘着ローラーの保持具。
【請求項２】
前記把手部と各腕部とが単一の金属製線材により一体に形成されている請求項１に記載の粘着ローラーの保持具。
【請求項３】
前記把手部に前記各腕部の過剰な拡開を防止するストッパーが形成されている請求項１又は２に記載の粘着ローラーの保持具。
【請求項４】
前記各腕部に前記粘着ロールを前記把持部より離間する方向へ持ち上げ保持する脚部を有する請求項１ないし３のいずれか１項に記載の粘着ローラーの保持具。
【考案の詳細な説明】
【技術分野】
【０００１】
本考案は、粘着テープを巻装した粘着ロールの中空筒部内に保持部を挿入して前記粘着ロールを回転保持させ前記粘着テープに毛髪やごみ等を付着除去する粘着ローラーの保持具に関する。
【背景技術】
【０００２】
一般に、粘着テープが巻装された粘着ロールを用いて衣服等に付着した毛髪やごみ、埃等を付着除去する際には、粘着ロールの中空筒部内に保持部を挿入して粘着ロールを回転保持する粘着ローラーの保持具が用いられる（例えば、特許文献１参照。）。
【０００３】
図７に示すように、従来の粘着ローラーの保持具１００は、粘着テープ１１２が巻装された粘着ロール１１１の中空筒部１１３両端に軸受孔１４５を有する保持部１４０，１４０を嵌挿し、把手部１２０と一体に形成されて粘着ロール１１１の中空筒部１１４の両端を挟むように保持部１４０，１４０の軸受孔１４５，１４５に挿入される回転軸１３５，１３５を有する左右の腕部１３０，１３０を備える。
【０００４】
しかるに、従来の従来の粘着ローラーの保持具１００では、粘着テープ１１２がなくなって粘着ロール１１１の交換が必要となった場合、まず、左右の腕部１３０，１３０の回転軸１３５，１３５を保持部１４０，１４０の軸受孔１４５，１４５からそれぞれ抜き取り、次いで、粘着ロール１１１の中空筒部１１３両端に嵌挿された保持部１４０，１４０を中空筒部１１３から取り外した後、新たな粘着ロール１１１の中空筒部１１３両端に保持部１４０，１４０を嵌挿してから左右の腕部１３０，１３０の回転軸１３５，１３５を保持部１４０，１４０の軸受孔１４５，１４５に挿入させなければならない。
【０００５】
このように、従来の保持具１００では、粘着ロール１１１を交換するたびに保持部１４０，１４０を古い粘着ロールから新しい粘着ロールに付け替える必要があり、交換作業が繁雑となる。また、保持部１４０が腕部１３０から容易に取り外し可能であるため、保持部１４０を紛失してしまうことがあり、その際には新たに保持部を補充する等しなければ保持具１００を使用することが不可能となる問題があった。
【先行技術文献】
【特許文献】
【０００６】
【特許文献１】特開２００４−５７６０２号公報
【考案の概要】
【考案が解決しようとする課題】
【０００７】
本考案は前記の点に鑑みなされたものであり、粘着ロールの交換作業を簡易に行うことができるとともに、保持部の紛失を防止することができる粘着ローラーの保持具を提供するものである。
【課題を解決するための手段】
【０００８】
すなわち、請求項１の考案は、粘着テープを巻装した粘着ロールの中空筒部内に保持部を挿入して前記粘着ロールを回転保持させ前記粘着テープに毛髪やごみ等を付着除去する粘着ローラーの保持具であって、把手部と、前記把手部と一体に形成された金属製線材よりなり、前記ロールの中空筒部両端の開口部に対して弾性的に拡開可能な左右の腕部と、前記左右の各腕部先端の前記金属線材を折り曲げて前記中空筒部の開口部内へ挿入されて前記中空筒部を両側から遊嵌保持可能な円形保持部とを備えたことを特徴とする粘着ローラーの保持具に係る。
【０００９】
請求項２の考案は、前記把手部と各腕部とが単一の金属製線材により一体に形成されている請求項１に記載の粘着ローラーの保持具に係る。
【００１０】
請求項３の考案は、前記把手部に前記各腕部の過剰な拡開を防止するストッパーが形成されている請求項１又は２に記載の粘着ローラーの保持具に係る。
【００１１】
請求項４の考案は、前記各腕部に前記粘着ロールを前記把持部より離間する方向へ持ち上げ保持する脚部を有する請求項１ないし３のいずれか１項に記載の粘着ローラーの保持具に係る。
【考案の効果】
【００１２】
請求項１の考案に係る粘着ローラーの保持具は、粘着テープを巻装した粘着ロールの中空筒部内に保持部を挿入して前記粘着ロールを回転保持させ前記粘着テープに毛髪やごみ等を付着除去する粘着ローラーの保持具であって、把手部と、前記把手部と一体に形成された金属製線材よりなり、前記ロールの中空筒部両端の開口部に対して弾性的に拡開可能な左右の腕部と、前記左右の各腕部先端の前記金属線材を折り曲げて前記中空筒部の開口部内へ挿入されて前記中空筒部を両側から遊嵌保持可能な円形保持部とを備えたため、粘着ロールの交換作業を簡易に行うことができるとともに、保持部の紛失を防止することができる。
【００１３】
請求項２の考案は、請求項１において、前記把手部と各腕部とが単一の金属製線材により一体に形成されているため、部品点数が少なく、成形も容易である。
【００１４】
請求項３の考案は、請求項１又は２において、前記把手部に前記各腕部の過剰な拡開を防止するストッパーが形成されているため、各腕部が過剰に拡開されて復元不可能な状態に変形されることを防止することができる。
【００１５】
請求項４の考案は、請求項１ないし３において、前記各腕部に前記粘着ロールを前記把持部より離間する方向へ持ち上げ保持する脚部を有するため、使用途中の粘着ロールを保管する際に粘着ロールを地面に接地させることを防止することができる。
【図面の簡単な説明】
【００１６】
【図１】本考案の一実施例に係る粘着ローラーの保持具の斜視図である。
【図２】粘着ロールを保持した図１の粘着ローラーの保持具の斜視図である。
【図３】図２のローラーの保持具の部分断面図である。
【図４】粘着ロール交換時のローラーの保持具の部分断面図である。
【図５】図３のローラーの保持具のＡ−Ａ断面図である。
【図６】粘着ロールを持ち上げ保持した状態のローラーの保持具の断面図である。
【図７】従来のローラーの保持具の部分断面図である。
【考案を実施するための形態】
【００１７】
図１〜図３に示す本考案の一実施例に係る粘着ローラーの保持具１０は、粘着テープ１２を巻装した粘着ロール１１の中空筒部１３内に保持部４０を挿入して粘着ロール１１を回転保持させ粘着テープ１２に毛髪やごみ等を付着除去するものであって、把手部２０と、左右の腕部３０，３０と、円形保持部４０，４０とを備える。
【００１８】
把手部２０は、使用者が片手で把持することが可能な適宜の柄状部材からなる。実施例の把手部２０は、図１〜図３に示すように、金属製線材が略Ｕ字状に折り曲げられて形成される。
【００１９】
左右の腕部３０，３０は、把手部２０と一体に形成された金属製線材よりなり、図３に示すように、把手部２０から対称に略Ｌ字状に延設されてロール１１の両端を挟むように配置される。実施例の各腕部３０，３０は、金属製線材からなる把手部２０と単一の金属製線材により一体に形成されているため、部品点数が少なく、成形も容易である。
【００２０】
左右の腕部３０，３０では、図３，４に示すように、ロール１１の中空筒部１３両端の開口部１４，１４に対して弾性的に拡開可能に構成される。実施例の腕部３０，３０では、金属製線材を略Ｕ字状に折り曲げなる把手部２０と一体に形成されているため、略Ｕ字状金属製線材の金属弾性による復元力により弾性的に拡開可能となる。
【００２１】
また、この腕部３０，３０では、図１〜図４に示すように、各腕部３０，３０の過剰な拡開を防止するために把手部２０にストッパー２５が形成されている。このストッパー２５は、略Ｕ字状の把手部２０に架設されて把手部２０の拡開を規制する。これにより、各腕部３０，３０が過剰に拡開されて復元不可能な状態に変形されることを防止することができる。
【００２２】
円形保持部４０，４０は、図１，５に示すように、左右の各腕部３０，３０先端の金属線材を折り曲げて形成されることにより、各腕部３０，３０と一体となるため、従来の保持部のように紛失する恐れがない。また、この円形保持部４０，４０は、図２，３に示すように、左右の腕部３０，３０の内側に突出するとともに中空筒部１３の内径より小径の円形状に形成され、中空筒部１３の開口部１４，１４内へ挿入されて中空筒部１３を両側から遊嵌保持可能に構成される。
【００２３】
粘着ロール１１を交換する場合には、まず、図４に示すように、円形保持部４０，４０の少なくとも一方を中空筒部１３の開口部１４，１４から抜き取り可能なように各腕部３０，３０を拡開させ、使用済みの粘着ロール１１が各円形保持部４０，４０から取り外される。次いで、新しい粘着ロール１１の中空筒部１３のいずれか一方の開口部１４，１４に一方の円形保持部４０を挿入させ、各腕部３０，３０を拡開させながら他方の円形保持部４０を中空筒部１３の他の開口部１４に挿入させて交換が完了される。このように、各腕部３０，３０を拡開させながら粘着ロール１１の着脱させるという極めて簡易な作業によって容易に粘着ロール１１を交換することができる。
【００２４】
また、この粘着ローラーの保持具１０は、図１，２，６に示すように、各腕部３０，３０に粘着ロール１１を把持部２０より離間する方向へ持ち上げ保持する脚部５０，５０を有する。実施例の脚部５０，５０は、円形保持部４０，４０を把持部２０より離間させるように各腕部３０，３０が側面視略Ｌ字状に折り曲げられてなる。粘着ロール１１を持ち上げ保持する場合は、保持具１０の使用状態（例えば、図５参照）に対して上下を反転させ、図６に示すように把持部２０の先端と脚部５０，５０とを床等の地面Ｇに設置させることにより、粘着ロール１１を地面Ｇから離間させることができる。これにより、使用途中の粘着ロール１１を保管する際に粘着ロール１１を地面に接地させることを防止することができる。
【００２５】
なお、本考案の粘着ローラーの保持具は、前述の実施例のみに限定されるものではなく、考案の趣旨を逸脱しない範囲において構成の一部を適宜に変更して実施することができる。
【符号の説明】
【００２６】
１０    粘着ローラーの保持具
１１    粘着ロール
１２    粘着テープ
１３    中空筒部
１４    開口部
２０    把手部
２５    ストッパー
３０    腕部
４０    円形保持部
５０    脚部
【図１】
0003171809.tif 000003
【図２】
0003171809.tif 000004
【図３】
0003171809.tif 000005
【図４】
0003171809.tif 000006
【図５】
0003171809.tif 000007
【図６】
0003171809.tif 000008
【図７】
0003171809.tif 000009